(57)【要約】      （修正有）【課題】挿入口に挿入できるＩＣカードと、挿入できない携帯電話機などとを共に扱える、使い勝手のよいＩＣカードリーダライタを提供する。【解決手段】第１の通信領域ＡＲ１１においてＩＣカード１５０との間で非接触通信を行うための第１のアンテナ８１と、第２の通信領域（筐体４１の外部）において通信対象（携帯電話機１５５）との間で非接触通信を行うための第２のアンテナ７８と、第１のアンテナ８１及び第２のアンテナ７８を選択的に切り換える切換手段（リレー３１０）とを備える。【選択図】図１１
2012038016.tif 000002
【特許請求の範囲】
【請求項１】
第１の通信領域においてＩＣカードとの間で非接触通信を行うための第１のアンテナと、
第２の通信領域において通信対象との間で非接触通信を行うための第２のアンテナと、
前記第１のアンテナ及び前記第２のアンテナを選択的に切り換える切換手段と
を備えることを特徴とするＩＣカードリーダライタ。
【請求項２】
前記第１のアンテナは、前記ＩＣカードを搬入する筐体の内部に設けられ、
前記第２のアンテナは、前記筐体の外部に設けられていることを特徴とする請求項１に記載のＩＣカードリーダライタ。
【請求項３】
前記筐体は、前記ＩＣカードを筐体内部に挿入するためのカード挿入口を備え、
前記第２のアンテナは、前記カード挿入口の周囲に設けられていることを特徴とする請求項２に記載のＩＣカードリーダライタ。
【請求項４】
前記第１の通信領域への前記ＩＣカードの搬入を検出する検出手段を備え、
前記切換手段は、前記検出手段の検出結果に基づいて、前記第１の通信領域への前記ＩＣカードの搬入が検出された場合に前記第２のアンテナから前記第１のアンテナに切り換えることを特徴とする請求項１乃至請求項３のいずれかに記載のＩＣカードリーダライタ。
【発明の詳細な説明】
【技術分野】
【０００１】
本発明は、ＩＣカードリーダライタに関し、例えば、遊技機間に設置されたサンドと呼ばれる貸玉装置に設けられるＩＣカードリーダライタに関するものである。
【背景技術】
【０００２】
従来から、パチンコホールのような遊技場では、遊技機が多数設置された島と呼ばれる領域において、隣接する遊技機間に、パチンコ球やコイン等の遊技媒体を貸し出すための縦長状の遊技媒体貸出装置（以下、サンドと呼ぶ）が設置されている。
【０００３】
このサンドは、各遊技機間に設置されるフレームに設けられており、前面に設けられた投入口を介して、紙幣、硬貨、プリペイドカード等が挿入されることにより、遊技媒体を貸し出したり、遊技媒体の貸出しを促す信号を遊技機に送信したりするようになっている（特許文献１参照）。
【０００４】
また、遊技者のＩＤが記憶された非接触型のＩＣカードを携帯電話機に搭載し、このＩＣカードとサンドとの間で非接触による通信を行うことにより、サンドにおいて、ＩＣカードから読み出したＩＤに基づき、サーバに問い合わせを行って遊技者を特定し、当該遊技者に対する遊技媒体の貸出等を行うものも考えられている（特許文献２参照）。
【０００５】
また、サンドに設けられるカードリーダライタとしては、不要になったカードを収納するカード収納部を備えたものも考えられている（特許文献３参照）。
【先行技術文献】
【特許文献】
【０００６】
【特許文献１】特開２００６−２５４９７０号公報
【特許文献２】特開２００８−２５９６０３号公報
【特許文献３】特開２００４−２１５７６２号公報
【発明の概要】
【発明が解決しようとする課題】
【０００７】
ところで、１つのサンドにおいて、カード挿入口から挿入された非接触型のＩＣカードと情報の授受を行うと共に、携帯電話機といったカード挿入口からは挿入し得ない機器との間で非接触型ＩＣカードと同様の通信を行うことができれば、使い勝手を向上し得ると考えられる。
【０００８】
上記の問題を鑑みて、本発明は、使い勝手のよいＩＣカードリーダライタを提供することを目的とする。
【課題を解決するための手段】
【０００９】
本発明の実施の形態に係る特徴は、ＩＣカードリーダライタにおいて、第１の通信領域においてＩＣカードとの間で非接触通信を行うための第１のアンテナと、第２の通信領域において通信対象との間で非接触通信を行うための第２のアンテナと、前記第１のアンテナ及び前記第２のアンテナを選択的に切り換える切換手段とを備えることである。
【００１０】
この構成によれば、第１の通信領域のＩＣカードとの間で第１のアンテナを介して非接触通信を行うことができると共に、第２の通信領域においては、第２のアンテナを介して通信対象との間で非接触通信を行うことができる。これにより、第１の通信領域には搬入し得ない通信対象機器との間においても、第２のアンテナを介して非接触通信を行うことができる。
【００１１】
本発明の実施の形態に係る特徴は、前記構成において、前記第１のアンテナは、前記ＩＣカードを搬入する筐体の内部に設けられ、前記第２のアンテナは、前記筐体の外部に設けられていることである。
【００１２】
この構成によれば、筐体内部に挿入されたＩＣカードとの間で第１のアンテナを介して非接触通信を行うことができると共に、筐体外部においては、第２のアンテナを介して非接触通信を行うことができる。これにより、ＩＣカードの挿入口から搬入し得ない通信対象機器との間においても、第２のアンテナを介して非接触通信を行うことができる。
【００１３】
本発明の実施の形態に係る特徴は、前記構成において、前記筐体は、前記ＩＣカードを筐体内部に挿入するためのカード挿入口を備え、前記第２のアンテナは、前記カード挿入口の周囲に設けられていることである。
【００１４】
この構成によれば、カード挿入口の周囲の領域を有効利用することができ、例えば遊技機間の狭い場所に設けられたサンド等においても、その前面部に第２のアンテナの通信領域（第２の通信領域）を確保することができる。
【００１５】
本発明の実施の形態に係る特徴は、前記構成において、前記第１の通信領域への前記ＩＣカードの搬入を検出する検出手段を備え、前記切換手段は、前記検出手段の検出結果に基づいて、前記第１の通信領域への前記ＩＣカードの搬入が検出された場合に前記第２のアンテナから前記第１のアンテナに切り換えることである。
【００１６】
この構成によれば、通常は第２のアンテナを選択しておき、ＩＣカードが第１の通信領域へ搬入された場合にのみ第１のアンテナを選択することにより、切換手段の切換頻度を少なくすることができ、切換手段の劣化を抑制することができる。
【発明の効果】
【００１７】
本発明によると、使い勝手のよいＩＣカードリーダライタを提供することができる。
【図面の簡単な説明】
【００１８】
【図１】本発明の実施の形態によるＩＣカードリーダライタの外観を示す斜視図である。
【図２】ＩＣカードリーダライタを組み込んだサンドを示す正面図である。
【図３】ＩＣカードリーダライタの前面部におけるベゼルの取付け状態を示す斜視図である。
【図４】ベゼルの裏面部を示す斜視図である。
【図５】ベゼルの断面を示す断面図である。
【図６】アンテナ基板の裏面を示す平面図である。
【図７】ＩＣカード及び携帯電話機の使用状態を示す斜視図である。
【図８】ＩＣカードリーダライタの筐体の内部構造を示す斜視図である。
【図９】通信領域に設けられたアンテナ基板を示す平面図である。
【図１０】アンテナ基板及び制御基板を示す側面図である。
【図１１】ＩＣカードリーダライタの構成を示すブロック図である。
【図１２】制御回路によるアンテナ切換処理手順を示すフローチャートである。
【図１３】制御回路によるアンテナ切換処理手順の他の実施の形態を示すフローチャートである。
【図１４】ＩＣカードリーダライタの背面部側を示す斜視図である。
【図１５】スタック部の背面側を示す斜視図である。
【図１６】スタック部の前面側を示す斜視図である。
【図１７】開閉蓋の側面を示す側面図である。
【図１８】膨出部材の構成を示す斜視図である。
【図１９】ＩＣカードの搬送動作の説明に供する概略図である。
【図２０】携帯電話機の使用方法の説明に供する概略図である。
【図２１】筐体の内部構造を示す斜視図である。
【発明を実施するための形態】
【００１９】
以下、本発明の実施の形態について、添付図面に基づき詳細に説明する。
【００２０】
図１は、本実施の形態に係るＩＣカードリーダライタ４０の外観を示す斜視図である。このＩＣカードリーダライタ４０は、図２に示すように、パチンコ機１０の間に配設されたサンド（遊技媒体貸出装置）２０に設けられている。
【００２１】
各サンド２０は、ホール全体のシステム管理や売上管理を行うコントローラ（図示せず）と通信可能に接続されている。各サンド２０には、例えばホールのカード発行機（図示せず）によって発行されたＩＣカードを挿入するためのカード挿入口６１、紙幣を挿入するための紙幣挿入口２１、硬貨を投入するための硬貨投入口２２及び遊技者が操作する操作ユニット２４等が設けられている。操作ユニット２４には、テンキーが配列されている。
【００２２】
遊技者は、ＩＣカード、所定金額の紙幣又は硬貨を、カード挿入口６１、紙幣挿入口２１又は硬貨投入口２２から投入することにより、遊技に必要な遊技媒体（パチンコ球）の貸出しを受けることができる。
【００２３】
価値媒体としてのＩＣカードは、ホールに設置されたカード発行機又はサンド２０において発行されるものであり、発行時において、遊技者がカード発行機又はサンド２０に投入した金額に応じた金額データが書き込まれる。金額データが書き込まれたＩＣカードが挿入されたサンド２０は、当該ＩＣカードに書き込まれている金額データの範囲内で、遊技者が操作ユニット２４を操作することにより指定した金額に応じたパチンコ球の貸出し数を、当該サンド２０に併設されたパチンコ機１０に送出する。パチンコ機１０は、サンド２０から送出された信号に基づいて、当該信号によって指定された数のパチンコ球を遊技者に提供する。この場合、サンド２０は、遊技者に提供されたパチンコ球に相当する金額を、挿入されているＩＣカードの金額データから減算する。これにより、遊技者は、ＩＣカードを現金の代わりに用いることができる。
【００２４】
上述したように、サンド２０は、ＩＣカードを発行するカード発行機としての機能も有しており、遊技者が紙幣挿入口２１又は硬貨投入口２２から紙幣又は硬貨を投入し、操作ユニット２４を操作してカードの発行及び金額を指定することにより、サンド２０に組み込まれたＩＣカードリーダライタ４０は、指定された金額に応じた金額データを、当該ＩＣカードリーダライタ４０のスタック部（後述）にスタックされているＩＣカードに書き込んだ後、カード挿入口６１を介して遊技者に排出する。遊技者は、このＩＣカードを用いてパチンコ球の貸出しを受けることができる。
【００２５】
遊技者が挿入したＩＣカードの金額データが０となった場合、サンド２０のＩＣカードリーダライタ４０は、当該ＩＣカードを排出せずに、スタック部に回収してスタックする。これにより、使い終わったＩＣカードは常にスタック部に回収されることとなり、不要となったＩＣカードがホール内に捨てられることを防止することができる。また、スタック部に回収されたＩＣカードは、サンド２０がＩＣカードのカード発行機として用いられる場合に新たなカードとして利用される。これにより、ＩＣカードを使い回すことができる。
【００２６】
図１に示すように、ＩＣカードリーダライタ４０は、全体が箱型の筐体４１に収納されており、この筐体４１がサンド２０（図２）の内部に固定されるようになっている。筐体４１の前面部４１Ａには、カード挿入口６１が形成されたベゼル６０が固定されている。このベゼル６０は、樹脂材料によって全体が半透明に形成されている。ベゼル６０の内部には、携帯電話機等に装着されたＩＣカードとの間で非接触で通信を行うためのアンテナを配したアンテナ基板が設けられている（後述）。
【００２７】
ＩＣカードリーダライタ４０の筐体４１は、パチンコ機１０間の狭いスペースに設けられたサンド２０内に収まるような形状に形成されている。すなわち、筐体４１は、その奥行きＤに対して幅方向の厚みＷが薄く形成されており、この内部には、複数のＩＣカードをスタックするためのスタック部２００、カード挿入口６１から挿入されたＩＣカード又はスタック部２００から供給されたＩＣカードとの間で非接触で通信を行うための通信手段、動作を制御するための制御基板（ＣＰＵボード）等が設けられている。
【００２８】
スタック部２００においては、筐体４１の一方の側面部に開閉蓋２０１が回動軸２０２（２０２Ａ、２０２Ｂ）を介して開閉可能に枢支されている。この開閉蓋２０１には、複数のＩＣカードを保持するためのカード保持部（後述）が設けられている。図１に一点鎖線で示すように、開閉蓋２０１を所定角度まで回動させて、開閉蓋２０１（スタック部２００）の前方開口部２０６が筺体４１の外部に露出した状態においては、前方開口部２０６から内部に積層収納されているＩＣカードを取り出すことができると共に、内部にＩＣカードを補充することができる。この前方開口部２０６を介してのＩＣカードの取り出し及び補充は、遊技ホールのスタッフが行う行為である。なお、このＩＣカードの取り出し及び補充は、後述するカード挿入口４２、６１を介して行うこともできる。スタック部２００の詳細については後述する。
【００２９】
筐体４１の前面部４１Ａには、遊技者がＩＣカードを挿入するためのカード挿入口４２（後述）が設けられており、このカード挿入口４２を覆うようにベゼル６０が装着されている。
【００３０】
図３は、ＩＣカードリーダライタ４０の前面部４１Ａにおけるベゼル６０の取付け状態を示す斜視図であり、図４は、ベゼル６０の裏面部を示す斜視図である。図３に示すように、筐体４１の前面部４１Ａには、ＩＣカードを挿入するためのカード挿入口４２が設けられており、前面部４１Ａにベゼル６０が装着された際に、ベゼル６０のカード挿入口６１と前面部４１Ａのカード挿入口４２とが連通するようになっている。
【００３１】
ベゼル６０の裏面側の一方の縁部には、平板状の突起部６４Ａ、６４Ｂが突設されており、この突起部６４Ａ、６４Ｂは、それぞれ筐体４１の前面部４１Ａに穿設された係合孔４４Ａ、４４Ｂに挿入されるようになっている。
【００３２】
また、ベゼル６０の裏面側の隅部には、突起部６５Ａ、６５Ｂが突設されており、この突起部６５Ａ、６５Ｂは、それぞれ筐体４１の前面部４１Ａに穿設された係合孔４５Ａ、４５Ｂに挿入されるようになっている。
【００３３】
突起部６４Ａ、６４Ｂ及び６５Ａ、６５Ｂを係合孔４４Ａ、４４Ｂ及び４５Ａ、４５Ｂに挿入した状態において、突起部６４Ａ、６４Ｂに形成されたねじ孔を介して当該突起部６４Ａ、６４Ｂを筐体４１にねじ止めすることにより、ベゼル６０を筐体４１の前面部４１Ａに固定することができる。
【００３４】
また、図４及び図５に示すように、ベゼル６０の裏面側において、カード挿入口６１を挟んで対向する位置に突起部６６Ａ、６６Ｂ及び６７Ａ、６７Ｂが、ＩＣカード１５０の挿入方向に延在するように設けられている。これら突起部６６Ａ、６６Ｂ及び６７Ａ、６７Ｂの先端部には、ＩＣカード１５０の通過領域から外側に広がるようなテーパ形状部６６Ｃ、６７Ｃが形成されており、矢印ｂ方向（図５）に排出されるＩＣカード１５０がこのテーパ形状部６６Ｃ、６７Ｃにガイドされるようになっている。これにより、排出されるＩＣカード１５０は、円滑にカード挿入口６１内にガイドされて排出される。
【００３５】
ベゼル６０の裏面側には、位置決め用の突起部６８Ａ、６８Ｂが設けられており、この突起部６８Ａ、６８Ｂをアンテナ基板７０（図３）の位置決め孔７１Ａ、７１Ｂに嵌合することにより、ベゼル６０に対してアンテナ基板７０を位置決めすることができる。このように位置決めした状態で、アンテナ基板７０の貫通孔７２を介してベゼル６０の裏面側のねじ孔６９にねじ７３をねじ止めすることにより、アンテナ基板７０をベゼル６０の裏面側に固定することができる。
【００３６】
アンテナ基板７０は、ＩＣカード１５０を挿通することが可能な大きさの挿通孔７５を有し、アンテナ基板７０をベゼル６０に固定した状態で当該ベゼル６０を筐体４１の前面部４１Ａに固定すると、アンテナ基板７０の挿通孔７５と、ベゼル６０のカード挿入口６１と、筐体４１の前面部４１Ａに形成されたカード挿入口４２とが連通するようになっている。これにより、ベゼル６０を筐体４１の前面部４１Ａに固定した状態において、ベゼル６０のカード挿入口６１、アンテナ基板７０の挿通孔７５及び筐体４１のカード挿入口４２を介して、ＩＣカード１５０を筐体４１の内部へ挿入することができ、また、筐体４１内部のＩＣカード１５０を外部へ排出することができる。
【００３７】
アンテナ基板７０の前面７０Ａ（図３）には、ＩＣカードリーダライタ４０の動作状態やＩＣカード１５０の挿入許可状態であるか否かといった情報を発光態様によって表示するＬＥＤ７６Ａ、７６Ｂが設けられている。このＬＥＤ７６Ａ、７６Ｂから発せられた光は、半透明のベゼル６０を介して、ベゼル６０の前面側に透過するようになっている。これにより、遊技者は、ベゼル６０を介してその背後に設けられているＬＥＤ７６Ａ、７６Ｂの光を目視することができる。
【００３８】
図６は、アンテナ基板７０の裏面７０Ｂを示す平面図である。図６に示すように、アンテナ基板７０の裏面７０Ｂには、ＩＣカードリーダライタ４０の筐体４１の内部に設けられたコネクタと接続するためのコネクタ７７がアンテナ基板７０の裏面７０Ｂから突出するように設けられており、ベゼル６０をアンテナ基板７０とともに筐体４１に固定した際に、アンテナ基板７０のコネクタ７７が、筐体４１の前面部４１Ａに形成された貫通孔４６を介して筐体内部のコネクタ（図示せず）に接続されるようになっている。これにより、コネクタ７７を介して、筐体４１側からアンテナ基板７０側へ電源及び制御信号を送出することができ、ＬＥＤ７６Ａ、７６Ｂを発光制御したり、後述するアンテナ７８を介して外部機器との間で非接触により通信を行ったりすることができる。
【００３９】
アンテナ基板７０の裏面７０Ｂには、電磁誘導方式等により非接触で通信対象と通信を行うためのアンテナ７８が設けられている。このアンテナ７８は、アンテナ基板７０の裏面側に配線されたアンテナパターンであり、アンテナ基板７０の挿通孔７５の周囲を巻回するように形成されている。このアンテナ７８により、ベゼル６０の前方に電磁誘導方式による通信を行うことが可能な空間が形成される。
【００４０】
これにより、図７に示すように、例えば電磁誘導方式による非接触通信を行うためのアンテナが設けられた携帯電話機１５５をベゼル６０に近づけることにより、アンテナ基板７０のアンテナ７８を介して、携帯電話機１５５とＩＣカードリーダライタ４０の制御回路（後述）との間で通信を行うことができる。なお、携帯電話機１５５側のアンテナは、携帯電話機１５５に内蔵されたもの又は携帯電話機１５５に非接触型のＩＣカードを装着した構成等、種々の態様を適用することができる。また、この通信の方式は、例えば、キャリア周波数が１３．５６ＭＨｚの電磁誘導方式であるが、これに限られるものではない。また、ベゼル６０の内部に設けられたアンテナ基板７０のアンテナ７８と通信を行う対象は、携帯電話機１５５に限られるものではなく、要は、アンテナ基板７０のアンテナ７８との間で非接触による通信を行うことができる通信手段を有する機器であれば、種々の機器を適用することができる。
【００４１】
このように、ＩＣカードリーダライタ４０においては、ベゼル６０に設けられたカード挿入口６１から挿入可能なＩＣカード１５０に対する筐体内部での非接触通信（後述）を行うことに限られず、カード挿入口６１からは挿入し得ない形状（例えば携帯電話機１５５）の機器との間においても、非接触で通信を行うことができる。すなわち、従来は金額データ等の情報をＩＣカードに記憶させてこれをパチンコ球の貸出し等に利用していたが、このような使用方法に加えて、携帯電話機１５５等をＩＣカードの代わりに用いることができる。この場合、図７に示すように、例えば、携帯電話機１５５をアンテナ基板７０のアンテナ７８にかざして携帯電話機１５５とＩＣカードリーダライタ４０との間で非接触の通信を行うことにより、ＩＣカードリーダライタ４０が携帯電話機１５５から当該携帯電話機１５５の固有の識別番号を取得する。ＩＣカードリーダライタ４０が組み込まれたサンド２０は、当該サンド２０が設置されているホールのサーバにアクセスして、携帯電話機１５５から取得した識別番号が登録されているか否かを判断し、登録されている場合には、その識別番号に対応した金額データや貯球数等の情報を取得し、これらの情報に基づいてパチンコ球の貸出し等の処理を行う。
【００４２】
ＩＣカードリーダライタ４０は、パチンコ機１０（図２）の間の狭い領域に配置されたサンド２０に組み込まれており、ＩＣカードリーダライタ４０のＩＣカード１５０を挿入するためのカード挿入口６１は、ＩＣカードリーダライタ４０の筐体４１の前面部４１Ａに設けられている。すなわち、比較的狭い前面部４１Ａにおいては、カード挿入口６１の周囲の領域に巻回型のアンテナ７８を配置することにより、前面部４１Ａの面積を有効利用することができる。
【００４３】
次に、カード挿入口６１から挿入されたＩＣカード１５０との間で非接触で通信を行うための構成について説明する。図７に示すように、ＩＣカードリーダライタ４０の筐体４１の前面部４１Ａに設けられたカード挿入口６１に対してＩＣカード１５０を挿入すると、ＩＣカードリーダライタ４０は、筐体４１の内部に設けられたカード搬送機構部によって、挿入されたＩＣカード１５０を所定位置まで引き込み、所定位置においてＩＣカード１５０との間で非接触による通信を行うことにより、ＩＣカード１５０に対する情報の書込み及び読出しを行う。なお、ＩＣカード１５０との間の通信としては、例えばキャリア周波数が１３．５６ＭＨｚの電磁誘導方式を用いるが、これに限られるものではない。
図８は、ＩＣカードリーダライタ４０の筐体４１の内部構造を示す斜視図である。図８は、図１に示したスタック部２００（開閉蓋２０１）等を省略して示す図である。
【００４４】
図８に示すように、ＩＣカードリーダライタ４０の内部には、カード挿入口６１から挿入されたＩＣカード１５０（図７）との間で非接触で通信を行うための通信領域ＡＲ１１と、複数のＩＣカードをスタックするためのスタック領域（保管領域）ＡＲ１２とが設けられている。
【００４５】
筐体４１においては、カード挿入口６１から通信領域ＡＲ１１及びスタック領域ＡＲ１２が順次直列に配置されており、これら２つの領域に亘って、複数の搬送ローラ９１〜９５に掛け渡された搬送ベルト１０５と、複数の搬送ローラ９６〜１００に掛け渡された搬送ベルト１０６とが設けられている。これらの搬送ベルト１０５、１０６は、搬送ローラ９１、９６がモータ（図示せず）によって回転駆動されることにより、ＩＣカード１５０を搬入方向（カード挿入口６１から通信領域ＡＲ１１、スタック領域ＡＲ１２へと搬入する方向）又は排出方向（スタック領域ＡＲ１２から通信領域ＡＲ１１、カード挿入口６１へと排出する方向）へ搬送するように駆動される。
【００４６】
通信領域ＡＲ１１には、ＩＣカード１５０に対向する位置にアンテナ基板８０が設けられている。このアンテナ基板８０には、電磁誘導方式等により非接触でＩＣカード１５０と通信を行うためのアンテナ８１（図９）が設けられている。図９に示すように、アンテナ８１は、アンテナ基板８０のＩＣカード対向面側に配線されたアンテナパターンであり、アンテナ基板８０の面上において巻回パターンを形成するように設けられている。このアンテナ８１により、通信領域ＡＲ１１に電磁誘導方式による通信を行うことが可能な空間が形成される。これにより、ＩＣカードリーダライタ４０の制御回路（ＣＰＵ）は、通信領域ＡＲ１１に搬送されたＩＣカード１５０に対して、アンテナ基板８０のアンテナ８１を介して通信を行うことができる。なお、この通信の方式は、例えば、キャリア周波数が１３．５６ＭＨｚの電磁誘導方式であるが、これに限られるものではない。
【００４７】
図１０に示すように、アンテナ基板８０には、所定間隔を隔てて制御基板１２０が固定されており、この制御基板１２０には上述した制御回路が設けられている。さらに、この制御回路とアンテナ基板８０のアンテナ８１とが接続されている。これにより、制御基板１２０の制御回路の制御によりアンテナ８１を介したＩＣカード１５０との間の通信を行う。また、図３、図６及び図７について上述したように、制御基板１２０の制御回路には、ベゼル６０のアンテナ基板７０に形成されたアンテナ７８が接続されており、制御回路は、アンテナ７８を介した通信対象（携帯電話機１５５等）との通信を行う。
【００４８】
アンテナ基板８０には、アンテナ基板７０のアンテナ７８と、アンテナ基板８０のアンテナ８１との切り換えを行うためのリレーが設けられている。制御回路は、このリレーを制御することにより、アンテナ７８を介した通信又はアンテナ８１を介した通信のいずれかを選択的に実行する。
【００４９】
アンテナ７８及びアンテナ８１の切換え処理について説明する。図１１は、ＩＣカードリーダライタ４０の構成を示すブロック図である。図１１に示すようにＩＣカードリーダライタ４０の筐体４１の内部には、制御基板１２０及びアンテナ基板８０が設けられており、筐体４１の外側（ベゼル６０内）には、アンテナ基板７０が設けられている。制御基板１２０には、ＣＰＵ、ＲＯＭ及びＲＡＭ等が設けられている。
【００５０】
筐体４１の内部の通信領域ＡＲ１１には、ＩＣカード１５０が搬入されたか否かを検出するための光センサ３０１が設けられている。この光センサ３０１の取り付け位置は、筐体４１の内部のカード挿入口６１（図８）の近傍位置又は通信領域ＡＲ１１の最奥部等であり、通信領域ＡＲ１１に搬入されたＩＣカード１５０を検出するようになっている。なお、ＩＣカード１５０を検出するためのセンサは光センサ３０１に限られず、種々のセンサを適用することができる。また、その設置位置としては、通信領域ＡＲ１１にＩＣカード１５０が搬入されることを検出し得る位置であれば種々の位置を適用することができる。また、１つのセンサに限らず、複数のセンサによってＩＣカード１５０を検出するようにしてもよい。
【００５１】
図８について上述したように、アンテナ基板８０に設けられたアンテナ８１は、筐体内部の通信領域ＡＲ１１においてＩＣカード１５０と非接触通信を行うためのアンテナであり、また、アンテナ基板７０に設けられたアンテナ７８は、携帯電話機１５５等の機器（又は当該機器に装着されたＩＣカード）との間で非接触通信を行うためのアンテナである。
【００５２】
筐体４１の内部には、これら２つのアンテナ８１、７８を選択的に切り換える切換手段としてのリレー３１０が設けられている。本実施の形態の場合、リレー３１０は、機械式接点を有するものであり、アンテナ基板８０に設けられている。制御基板１２０の制御回路は、リレー３１０を切換制御することにより、アンテナ７８又はアンテナ８１を選択的に切り換えるようになっている。
【００５３】
またベゼル６０に設けられたアンテナ基板７０には、図３について上述したＬＥＤ７６Ａ、７６Ｂが設けられている。
【００５４】
以上の構成において、制御基板１２０の制御回路は、リレー３１０を第１の切換端３１０Ａ側に切り換えた状態を基本状態とし、この状態においてはベゼル６０側のアンテナ７８を選択している。
【００５５】
そして、光センサ３０１の検出結果に基づいて、通信領域ＡＲ１１にＩＣカード１５０が挿入されたことを検出した場合には、制御回路は、リレー３１０を第２の切換端３１０Ｂ側に切り換えることにより、通信領域ＡＲ１１側のアンテナ８１を選択する。
【００５６】
図１２は、制御回路によるアンテナ切換処理手順を示すフローチャートである。制御回路は、ステップＳ１１において、通信領域ＡＲ１１にＩＣカード１５０が搬入されたか否かを光センサ３０１の検出結果に基づいて判断する。ここで否定結果が得られると、このことは、ＩＣカード１５０が通信領域ＡＲ１１に存在していないことを意味している。この場合、制御回路は、ステップＳ１１からステップＳ１２に処理を移して、外部アンテナ（ベゼル６０側のアンテナ７８）の選択を維持し、続くステップＳ１３において、ＬＥＤ７６Ａ、７６Ｂの発光態様を維持し、上述のステップＳ１１に処理を戻す。
【００５７】
これに対して、ステップＳ１１において肯定結果が得られると、このことは、通信領域ＡＲ１１にＩＣカード１５０が搬入されたことを意味している。この場合、制御回路は、ステップＳ１１からステップＳ１４に処理を移して、リレー３１０を第２の切換端３１０Ｂ側に切り換えることにより、筐体内部のアンテナ８１（内部アンテナ）を選択する。そして、制御回路は、ステップＳ１５において、ＬＥＤ７６Ａ、７６Ｂの発光態様を、筐体内部でＩＣカード１５０と通信を行っていることを表す発光態様に変化させる。
【００５８】
これにより、制御回路は、筐体内部のアンテナ８１を介して、通信領域ＡＲ１１のＩＣカード１５０との間で非接触通信を行うことができると共に、遊技者は、ＬＥＤ７６Ａ、７６Ｂの発光態様の変化を見ることにより、筐体内部でＩＣカード１５０との間で通信が行われていることを認識することができる。
【００５９】
制御回路は、ステップＳ１５の処理を実行した後、ステップＳ１６に移って、通信領域ＡＲ１１のＩＣカード１５０との間の通信が完了したか否かを判断する。この判断方法としては、制御回路が実際に通信内容を判断する方法、光センサ３０１の検出結果に基づいてＩＣカード１５０が通信領域ＡＲ１１から搬出されたことを検出する方法、又はリレー３１０を内部アンテナ（切換端３１０Ｂ）に切り換えた後の時間経過を計測する方法等がある。
【００６０】
ステップＳ１６において否定結果が得られると、このことは、通信領域ＡＲ１１におけるＩＣカード１５０との通信が完了していないことを意味しており、制御回路は、ステップＳ１６おいて肯定結果が得られるまで、当該処理ステップを繰り返す。
【００６１】
ステップＳ１６において肯定結果が得られると、このことは、通信領域ＡＲ１１のＩＣカード１５０との通信が完了したことを意味しており、制御回路は、ステップＳ１６からステップＳ１７に移って、リレー３１０を第１の切換端３１０Ａ（外部アンテナ側）に切り換える。これにより、筐体内部のアンテナ８１から外部（ベゼル６０側）のアンテナ７８に切り換えられる。制御回路は、ステップＳ１７の処理の後、ステップＳ１８に処理を移して、ＬＥＤ７６Ａ、７６Ｂの発光態様を、アンテナ７８が選択されていることを表す発光態様に変化させる。その後、制御部は、上述にステップＳ１１へ処理を戻す。
【００６２】
このように、本実施の形態においては、２つのアンテナ７８、８１が設けられている構成において、いずれか一方が選択的に切り換えられて使用されることにより、両方のアンテナが接続されている場合に生じる通信上の障害の発生を防止して、アンテナ７８又はアンテナ８１のいずれかによる確実な通信を行うことができる。
【００６３】
また、リレー３１０によって２つのアンテナ７８、８１を切り換えることにより、これらのアンテナ７８、８１を介して通信を行うための制御基板１２０をアンテナごとに個別に設ける必要がなくなる。これにより、構成を簡単化することができる。
【００６４】
なお、アンテナ７８、８１を切り換える処理は、図１２に示した処理手順に限られるものではなく、種々の手順を用いることができる。図１３は、アンテナ切換処理手順の他の例を示すフローチャートである。図１３の処理は、制御回路によって所定時間毎に呼び出されて実行される処理である。
【００６５】
図１３に示すように、制御回路は、ステップＳ２１において、ＩＣカード１５０が通信領域ＡＲ１１に存在するか否かを光センサ３０１等の検出手段の検出結果に基づいて判断する。
【００６６】
ステップＳ２１において否定結果が得られると、このことは、通信領域ＡＲ１１にＩＣカード１５０が存在していないことを意味しており、制御回路は、ステップＳ２１からステップＳ２２に処理を移して、既に外部アンテナ（アンテナ７８）に切り換えられているかを判断する。既に外部アンテナに切り換えられている場合には、制御回路は、上述のステップＳ２１に戻って、同様の処理を繰り返す。
【００６７】
これに対して、未だ外部アンテナに切り換えられていない場合、制御回路は、ステップＳ２２において否定結果を得ることにより、ステップＳ２２からステップＳ２３に処理を移して、リレー３１０を第１の切換端３１０Ａ側に切り換えることにより、外部アンテナ（アンテナ７８）を選択する。そして、制御回路は、ステップＳ２４において、ＬＥＤ７６Ａ、７６Ｂの発光態様を、外部アンテナ（アンテナ７８）に切り換えられていることを表す発光態様に変化させる。
【００６８】
これに対して、ステップＳ２１において肯定結果が得られると、このことは、通信領域ＡＲ１１にＩＣカード１５０が搬入されたことを意味しており、制御回路は、ステップＳ２１からステップＳ２５に移って、既に内部アンテナ（アンテナ８１）に切り換えられているか否かを判断する。既に内部アンテナに切り換えられている場合には、制御回路は、上述のステップＳ２１に戻って、同様の処理を繰り返す。
【００６９】
これに対して、未だ内部アンテナに切り換えられていない場合、制御回路は、ステップＳ２５において否定結果を得ることにより、ステップＳ２５からステップＳ２６に処理を移して、リレー３１０を第２の切換端３１０Ｂ側に切り換えることにより、内部アンテナ（アンテナ８１）を選択する。そして、制御回路は、ステップＳ２７において、ＬＥＤ７６Ａ、７６Ｂの発光態様を、筐体内部でＩＣカード１５０と通信を行っていることを表す発光態様に変化させた後、上述のステップＳ２１に戻る。
このように、図１３のアンテナ切換処理によっても、アンテナ７８、８１の切り換えを行うことができる。
【００７０】
次に、スタック領域ＡＲ１２に設けられたスタック部２００について説明する。スタック領域ＡＲ１２には、複数枚のＩＣカード１５０を積層して収納するスタック部２００（図１）が設けられている。図１に示したように、スタック部２００は、ＩＣカードリーダライタ４０の筐体４１に対して回動軸２０２Ａ、２０２Ｂを介して回動可能に枢支されている。スタック部２００を回動させることにより、内部に収納されたＩＣカード１５０も一体に回動され、スタック部２００の開閉蓋２０１の前方開口部２０６（図１７）を筐体４１の外部に向けた状態で内部のＩＣカード１５０を取り出し、また、内部へＩＣカード１５０を収納することができる。例えば、スタック部２００内のＩＣカード１５０が全てカード挿入口６１から排出されて遊技者の利用に供された場合、遊技ホールのスタッフは、スタック部２００の開閉蓋２０１を開けて内部に新たなＩＣカード１５０を挿入することができる。また、内部に収納されているＩＣカード１５０の数が多くなった場合、遊技ホールのスタッフは、スタック部２００の開閉蓋２０１を開けて内部のカードを取り出すことができる。
【００７１】
図１４は、ＩＣカードリーダライタ４０の背面部４１Ｂ側を示す斜視図である。図１４に示すように、ＩＣカードリーダライタ４０の背面部４１Ｂの縁部には、スタック部２００の開閉蓋２０１の回動軸２０２Ａ及び２０２Ｂを枢支するための支持部４７、４８が設けられている。回動軸２０２Ａ及び２０２Ｂは、互いに同一軸線上に設けられている。
【００７２】
図１５は、スタック部２００の背面側を示す斜視図であり、図１６は、スタック部２００の前面側を示す斜視図である。スタック部２００は、直方体形状の開閉蓋２０１の内部に複数のＩＣカード１５０を積層収納するように構成されている。図１６に示すように開閉蓋２０１には、内部に収納されたＩＣカード１５０を押さえる押さえ板２１０が設けられている。この押さえ板２１０は、開閉蓋２０１の天板２０５（開閉蓋２０１の内面部）に対面し、天板２０５に接近する方向又は離間する方向に移動可能に開閉蓋２０１に支持されている。また、押さえ板２１０は、コイルばね等の付勢手段（図示せず）により、天板２０５から離間する方向に付勢されている。これにより、開閉蓋２０１内において、ＩＣカード１５０を押さえ板２１０の当接面２１０Ａ側で押さえるようになっている。
【００７３】
開閉蓋２０１の側面部には、内部に収納されるＩＣカード１５０を支持する支持板２１１Ａ〜２１１Ｄが設けられている。この支持板２１１Ａ〜２１１ＤのＬ字状に曲折した先端部にＩＣカード１５０の引掛けることにより、開閉蓋２０１の内部において天板２０５に平行にＩＣカード１５０を保持することができる。
【００７４】
図１７は、開閉蓋２０１の側面を示す側面図である。図１７に示すように、開閉蓋２０１においては、その前方開口部２０６から内部へＩＣカード１５０を挿入することにより、複数のＩＣカード１５０を積層収納することができる。
【００７５】
開閉蓋２０１が筺体４１に対して閉じられた状態においては、その前方開口部２０６が通信領域ＡＲ１１（図８）側に向けて配置されることにより、開閉蓋２０１が閉じられた状態において、通信領域ＡＲ１１にあるＩＣカード１５０が搬送ベルト１０５、１０６の送り駆動に伴ってスタック領域ＡＲ１２へ搬送されると、当該ＩＣカード１５０は、開閉蓋２０１の前方開口部２０６からその内部へ挿入される。
【００７６】
ここで、スタック領域ＡＲ１２（図８）の底面部には、当該底面部から筺体４１の内部空間へ膨出可能に支持された膨出部材２５０が設けられている。図１８に示すように、膨出部材２５０は、搬送ローラ９４、９９の回転軸に固定され当該回転軸と一体に回転する偏心カム２５１に係合されており、偏心カム２５１の回転に伴って、矢印ｄで示す方向に上下動するようになっている。これにより、搬送ローラ９１〜１００をモータ（図示せず）によって回転させてＩＣカード１５０を通信領域ＡＲ１１からスタック領域ＡＲ１２へ搬送する際に、搬送ローラ９４、９９の回転に伴って膨出部材２５０がスタック領域ＡＲ１２へ膨出する。膨出部材２５０が膨出すると、スタック部２００の開閉蓋２０１内に既にＩＣカード１５０が収納されている場合には、このＩＣカード１５０が膨出部材２５０によって押し上げられ、その下に通信領域ＡＲ１１から搬送された新たなＩＣカード１５０が挿入される空間が確保される。このとき、膨出部材２５０によって押し上げられた既に保持されているＩＣカード１５０の下に新たなＩＣカード１５０が挿入開始されるタイミングで、膨出部材２５０はスタック領域ＡＲ１２から退避する。この退避のタイミングは、偏心カム２５１の形状によって設定されている。このように膨出部材２５０が退避することにより、通信領域ＡＲ１１から搬入された新たなＩＣカード１５０は、膨出部材２５０に邪魔されることなく、開閉蓋２０１へ確実に搬入される。
【００７７】
以上説明したように、本実施の形態のＩＣカードリーダライタ４０は、ＩＣカード１５０との間の通信処理と、携帯電話機１５５との間の通信処理を行うことができる。図１９に示すように、ベゼル６０のカード挿入口６１を介してＩＣカード１５０が挿入されると、ＩＣカードリーダライタ４０は、搬送ベルト１０５、１０６を駆動することによって、ＩＣカード１５０をアンテナ基板８０に対向する通信領域ＡＲ１１まで搬送する（図１９（Ａ）、（Ｂ））。この通信領域ＡＲ１１においてアンテナ基板８０を介したＩＣカード１５０との間の通信が終了し例えばＩＣカード１５０の金額データが０となると、ＩＣカードリーダライタ４０は、搬送ベルト１０５、１０６を駆動して、ＩＣカード１５０をスタック領域ＡＲ１２まで搬送する。この場合、図１５について上述したように、膨出部材２５０がスタック部２００にスタックされているＩＣカード１５０を押し上げて、その下に新たなＩＣカード１５０の挿入空間を形成する（図１９（Ｃ））。
【００７８】
この状態において、ＩＣカードリーダライタ４０は、さらに搬送ベルト１０５、１０６を駆動することにより、通信が終了したＩＣカード１５０を、膨出部材２５０によって形成された挿入空間内に搬入する（図１９（Ｄ））。
これにより、通信が終了してスタックすべきと判断されたＩＣカード１５０は、スタック部２００にスタックされる。
【００７９】
また、遊技者が紙幣挿入口２１や硬貨投入口２２（図２）から紙幣や硬貨を挿入してＩＣカード１５０の発行を指定した場合、サンド２０は、ＩＣカードリーダライタ４０のスタック部２００にスタックされているＩＣカード１５０を搬送ベルトの排出方向への駆動により、通信領域ＡＲ１１まで搬送して通信を行うことにより、当該ＩＣカード１５０に金額データを書き込んだ後、これをカード挿入口６１から排出する。
【００８０】
一方、図２０に示すように、ベゼル６０のカード挿入口６１から挿入し得ない形状の通信対象（例えば、携帯電話機１５５）との間においても、当該携帯電話機１５５をベゼル６０に設けられたアンテナ基板７０に近づけることにより、ＩＣカードリーダライタ４０は、アンテナ基板７０を介して携帯電話機１５５と非接触通信を行うことができる（図２０（Ａ）、（Ｂ））。
【００８１】
なお、図１７に示したように、開閉蓋２０１の内部には、ＩＣカード１５０が積層収納されるようになっており、図１に一点鎖線で示したように開閉蓋２０１を開いた状態において、開閉蓋２０１の前方開口部２０６を介して開閉蓋２０１の内部に収納されているＩＣカード１５０を取り出すことができると共に、前方開口部２０６を介して開閉蓋２０１の内部へＩＣカード１５０を補充することができる。
【００８２】
ＩＣカード１５０を所持しない遊技者が現金を紙幣挿入口２１や硬貨投入口２２から投入することにより、開閉蓋２０１の内部に補充されたＩＣカード１５０は、搬送ベルト１０５、１０６の駆動により通信領域ＡＲ１１まで搬送され、アンテナ８１を介した非接触通信により所定の金額データが書き込まれる。
【００８３】
一方、ＩＣカード１５０を所持する遊技者が当該ＩＣカード１５０をカード挿入口６１を介して挿入すると、ＩＣカード１５０は搬送ベルト１０５、１０６の駆動により通信領域ＡＲ１１まで搬送されて、アンテナ８１を介した通信により、当該ＩＣカード１５０内に記憶されている金額データが制御回路により読み出される。
【００８４】
このように、通信領域ＡＲ１１には、スタック部２００及びカード挿入口６１のいずれもからＩＣカード１５０が搬入される構成となっており、光センサ３０１は、これらの搬入経路に関わらず、通信領域ＡＲ１１に搬入されたＩＣカード１５０の存在を検出することができるようになっている。
【００８５】
ＩＣカードリーダライタ４０は、上述したＩＣカード１５０に対する通信機能及びＩＣカードを装着した携帯電話機１５５等のカード挿入口６１から挿入し得ない形状の通信対象との間の通信機能、これら通信機能の切換手段（リレー３１０）、ＩＣカード１５０をスタックするスタック部２００等の構成に加えて、カード挿入口６１から挿入されるＩＣカード１５０の挿入制限を行う機構を有している。
【００８６】
図２１は、筐体４１の内部構造を示す斜視図である。図２１に示すように、筐体４１の内部には、ベゼル６０（カード挿入口６１）が設けられた側に、ＩＣカード１５０の挿入を制限するカードロック部１６０が設けられている。このカードロック部１６０は、ＩＣカード１５０を搬送するための搬送ローラ９１〜９５、９６〜１００の回転に伴って回転するシャフト１６５に嵌合された２つのロック爪１６１、１６２を有する。このロック爪１６１、１６２は、シャフト１６５に対して、僅かな摩擦力をもってシャフト１６５と一体に回動するようになっている。
【００８７】
ＩＣカード１５０がカード挿入口６１（図８）から挿入されると、所定位置に設けられたセンサ（図示せず）によって当該ＩＣカード１５０が検出され、ＩＣカード１５０をカード挿入口６１（図８）から搬入する方向に搬送ローラ９１〜９５、９６〜１００が回転駆動される。これに応じてロック爪１６１、１６２はその先端部をカード挿入経路上に持ち上げるように回動する。センサの位置に応じて、搬送ローラ９１〜９５、９６〜１００が回転開始するタイミング（すなわち、ロック爪１６１、１６２が回動開始するタイミング）が決定されており、ＩＣカード１５０がカード挿入口６１から搬送ベルト１０５、１０６に達する程度まで挿入された際に、搬送ローラ９１〜９５、９６〜１００が回転開始し、これに応じてロック爪１６１、１６２が回動開始するようになっている。
【００８８】
ロック爪１６１、１６２の位置は、搬送ベルト１０５、１０６よりもカード挿入口６１側に設けられていることにおり、ＩＣカード１５０が搬送ベルト１０５、１０６に達する程度まで挿入された状態においては、ロック爪１６１、１６２の回動方向にＩＣカード１５０が既に存在することとなり、ロック爪１６１、１６２が回動してもＩＣカード１５０の側面に当接する。この場合、上述したようにロック爪１６１、１６２は、シャフト１６５に対して所定の摩擦力をもって嵌合されているため、ロック爪１６１、１６２がＩＣカード１５０の側面に当接した状態でさらにシャフト１６５が回転しても、シャフト１６５のみが回転し、ロック爪１６１、１６２はそれ以上回動しないこととなる。これにより、ロック爪１６１、１６２は、このとき挿入されているＩＣカード１５０の搬入動作の妨げにはならない。
【００８９】
このとき挿入されているＩＣカード１５０が搬送ベルト１０５、１０６によってさらに搬入され、ロック爪１６１、１６２の位置を通過すると、ロック爪１６１、１６２は、ＩＣカード１５０の挿入経路内に入り込む。これにより、その後新たなＩＣカード１５０がカード挿入口６１から挿入されても、当該ＩＣカード１５０は、ロック爪１６１、１６２にロックされて内部に挿入することができない状態にロックされる。
【００９０】
このように、１枚のＩＣカード１５０が挿入されて搬送ベルト１０５、１０６によって内部に搬入された状態においては、ロック爪１６１、１６２によって、新たなＩＣカード１５０が挿入されることを防止することができる。
【００９１】
また、通信領域ＡＲ１１（図８）まで搬入されたＩＣカード１５０について通信処理が終了すると、当該ＩＣカード１５０は、カード挿入口６１まで搬出されてカード挿入口６１を介して外部に排出される。この搬出動作において、搬送ローラ９１〜９５、９６〜１００は、搬入時と逆回転することにより、これに応じて、ロック爪１６１、１６２は、その先端部がＩＣカード１５０の挿入経路外に退避する状態となる。これにより、ＩＣカード１５０が排出された場合には、新たにＩＣカード１５０を挿入してもロック爪１６１、１６２によるロックはされずに、筐体内部に搬入可能な状態となる。
【００９２】
また、通信領域ＡＲ１１（図８）において通信処理が終了したＩＣカード１５０がスタック部２００に搬入された場合、ロック爪１６１、１６２は、ＩＣカード１５０の挿入経路上に突出した状態が維持されるため、搬送ローラ９１〜９５、９６〜１００を僅かに逆回転させる。これにより、ロック爪１６１、１６２をＩＣカード１５０の挿入経路から退避させて、新たなＩＣカード１５０の挿入が可能な状態とすることができる。
【００９３】
なお、上述の実施の形態においては、本発明をパチンコ機のサンドに用いられるＩＣカードリーダライタ４０に適用する場合について述べたが、これに限られるものではなく、パチスロ機など、他の種々の遊技機に用いられるＩＣカードリーダライタに適用することができる。
【００９４】
また、遊技機用に限らず、例えば、自動販売機に用いられるＩＣカードリーダライタなど、他の用途に用いられるＩＣカードリーダライタに広く適用することができる。
【００９５】
また、上述の実施の形態においては、機械式の接点を有するリレー３１０を用いる場合について述べたが、これに限られるものではなく、半導体スイッチング素子を用いるようにしてもよい。また、リレー３１０の取り付け位置は、アンテナ基板８０に限らず、アンテナ基板７０又は制御基板１２０であってもよい。
【００９６】
また、上述の実施の形態においては、アンテナ基板７０にＬＥＤ７６Ａ、７６Ｂを設ける場合について述べたが、これに限られるものではなく、アンテナ基板以外に専用の基板を設けるようにしてもよい。また、ＬＥＤ７６Ａ、７６Ｂの数は、２つに限られず、種々の数を適用することができる。
【００９７】
また、上述の実施の形態においては、カード挿入口６１の周囲を巻回するようにアンテナ７８を設けるようにしたが、アンテナ７８の形成位置はこれに限られるものではなく、例えばＩＣカードリーダライタ４０の前面部のいずれかの位置等、要は外部に露出した部位であれば種々の位置に設けることができる。
【００９８】
また、上述の実施の形態においては、アンテナ７８の通信対象を、携帯電話機１５５又はこれに装着されたＩＣカードとした場合について述べたが、これに限られるものではなく、他の種々の機器であってもよい。この場合、当該機器をベゼル６０の前方（アンテナ７８の通信領域）にかざすことにより、これらの機器との間で非接触通信を行うことができる。これらの機器は、カード挿入口６１から筐体４１の内部へ挿入し得ない形状であっても、ベゼル６０の前方にかざすだけで通信を行うことができる。また、当該アンテナ７８による通信対象としては、携帯電話機１５５をはじめとするこれらの機器に限られず、カード挿入口６１から挿入し得るＩＣカード１５０であってもよい。例えば、遊技者が予め所持するＩＣカード１５０をベゼル６０の前方（アンテナ７８の通信領域）にかざすだけでＩＣカードリーダライタ４０はこのＩＣカード１５０との間で通信を行うことができる。従って、遊技者は、所持するＩＣカード１５０をカード挿入口６１から挿入するといった手間をかけずに、ＩＣカード１５０の情報をＩＣカードリーダライタ４０に読み取らせることができる。この場合、筐体４１内のアンテナ８１は、スタック部２００に用意されているＩＣカード１５０を新たに発行する場合に、当該ＩＣカード１５０に金額データ等を書き込むための通信手段として用いられることになる。新たに発行されたＩＣカード１５０は、通信領域ＡＲ１１において情報が書き込まれた後、カード挿入口６１を介して外部へ排出（発行）される。
【００９９】
（ＩＣカードリーダライタの概要）
本発明の実施の形態におけるＩＣカードリーダライタ４０は、第１の通信領域ＡＲ１１においてＩＣカードとの間で非接触通信を行うための第１のアンテナ８１と、第２の通信領域（筐体４１の外部）において通信対象との間で非接触通信を行うための第２のアンテナ７８と、第１のアンテナ８１及び第２のアンテナ７８を選択的に切り換える切換手段（リレー３１０）とを備えることを特徴とする。
【０１００】
この構成によれば、第１の通信領域ＡＲ１１のＩＣカード１５０との間で第１のアンテナ８１を介して非接触通信を行うことができると共に、第２の通信領域（ベゼル６０の前面側）においては、第２のアンテナ７８を介して通信対象との間で非接触通信を行うことができる。これにより、第１の通信領域ＡＲ１１には搬入し得ない通信対象機器（携帯電話機１５５等）との間においても、第２のアンテナ７８を介して非接触通信を行うことができる。
【０１０１】
本実施の形態におけるＩＣカードリーダライタ４０は、前記構成において、第１のアンテナ８１は、ＩＣカード１５０を搬入する筐体４１の内部に設けられ、第２のアンテナ７８は、筐体４１の外部に設けられていることを特徴とする。
【０１０２】
この構成によれば、筐体内部に挿入されたＩＣカード１５０との間で第１のアンテナ８１を介して非接触通信を行うことができると共に、筐体外部においては、第２のアンテナ７８を介して非接触通信を行うことができる。これにより、ＩＣカードの挿入口（カード挿入口６１）から挿入し得ない通信対象機器（携帯電話機１５５等）との間においても、第２のアンテナ７８を介して非接触通信を行うことができる。
【０１０３】
本実施の形態におけるＩＣカードリーダライタ４０は、前記構成において、筐体４１は、ＩＣカード１５０を筐体内部に挿入するためのカード挿入口６１を備え、第２のアンテナ７８は、カード挿入口６１の周囲に設けられていることを特徴とする。
【０１０４】
この構成によれば、カード挿入口６１の周囲の領域を有効利用することができ、例えば遊技機間の狭い場所に設けられたサンド２０においても、その前面部に第２のアンテナ７８の通信領域（通信対象機器をかざす領域）を確保することができる。
【０１０５】
本実施の形態におけるＩＣカードリーダライタ４０は、前記構成において、第１の通信領域ＡＲ１１へのＩＣカード１５０の搬入を検出する検出手段（光センサ３０１）を備え、切換手段（リレー３１０）は、検出手段（光センサ３０１）の検出結果に基づいて、第１の通信領域ＡＲ１１へのＩＣカード１５０の搬入が検出された場合に第２のアンテナ７８から第１のアンテナ８１に切り換えることを特徴とする。
【０１０６】
この構成によれば、通常は第２のアンテナ７８を選択しておき、ＩＣカード１５０が第１の通信領域ＡＲ１１へ搬入された場合にのみ第１のアンテナ８１を選択することにより、切換手段（リレー１３０）の切換頻度を少なくすることができ、切換手段の劣化を抑制することができる。
【符号の説明】
【０１０７】
１０  パチンコ機
２０  サンド
２１  紙幣挿入口
２２  硬貨投入口
２４  操作ユニット
４０  ＩＣカードリーダライタ
４１  筐体
４１Ａ  前面部
４２、６１  カード挿入口
４７、４８  支持部
６０  ベゼル
７０、８０  アンテナ基板
７８、８１  アンテナ
９１〜１００  搬送ローラ
１０５、１０６  搬送ベルト
１５０  ＩＣカード
１５５  携帯電話機
２００  スタック部
２０１  開閉蓋
２０２Ａ、２０２Ｂ  回動軸
３０１  光センサ
３１０  リレー
【図１】
2012038016.tif 000003
【図２】
2012038016.tif 000004
【図３】
2012038016.tif 000005
【図４】
2012038016.tif 000006
【図５】
2012038016.tif 000007
【図６】
2012038016.tif 000008
【図７】
2012038016.tif 000009
【図８】
2012038016.tif 000010
【図９】
2012038016.tif 000011
【図１０】
2012038016.tif 000012
【図１１】
2012038016.tif 000013
【図１２】
2012038016.tif 000014
【図１３】
2012038016.tif 000015
【図１４】
2012038016.tif 000016
【図１５】
2012038016.tif 000017
【図１６】
2012038016.tif 000018
【図１７】
2012038016.tif 000019
【図１８】
2012038016.tif 000020
【図１９】
2012038016.tif 000021
【図２０】
2012038016.tif 000022
【図２１】
2012038016.tif 000023